(57)【要約】【課題】      魚の差し込みが容易で、過って魚に逃げられることを防止した魚投入口を有する釣り用魚入れ容器を提供すること。【解決手段】  釣り用引き舟（釣り用魚入れ容器）１は、内部に魚を収容できる容器２を有し、容器２の上面２ａには蓋体４で開閉自在に閉塞される魚取り出し口３と、蓋体４には開閉体７で開閉自在に閉塞される魚投入口６が設けられている。魚投入口６は、その左右の幅Ａが前後方向の長さＢよりも大きく、前後方向の中央よりも後端側に最大幅を有し、略台形形状に形成されている。【選択図】        図３
2009082074.tif 000002
【特許請求の範囲】
【請求項１】
魚投入口と該魚投入口を開閉自在に閉塞する開閉体を備え、前記開閉体は一端側が回動自在に支持され前記魚投入口の閉塞方向に付勢されている魚入れ容器において、前記魚投入口は魚を投入する縦方向の長さより横方向の長さを大きく形成したことを特徴とする釣り用魚入れ容器。
【請求項２】
魚投入口は魚取り出し口の蓋体に設けられ、前記蓋体は縦方向の長さより横方向の長さを小さく形成したことを特徴とする請求項１記載の釣り用魚入れ容器。
【発明の詳細な説明】
【技術分野】
【０００１】
本発明は、魚投入口と該魚投入口を開閉自在に閉塞する開閉体を備えた釣り用魚入れ容器に関する。
【背景技術】
【０００２】
従来から釣りを行う時には、釣れた魚を収納するために引き舟、おとり缶、びく等の釣り用魚入れ容器が使用されている。
これらの釣り用魚入れ容器は、魚を収納可能な容器本体に釣れた魚を入れる魚投入口が形成され、この魚投入口を開閉自在に内側から閉塞する開閉体を備え、開閉体はバネ等で閉塞方向に付勢されたものが多く用いられている。
【０００３】
このような釣り用魚入れ容器の魚投入口は、開閉体を押し開けながら魚を体長方向に差し入れるように魚の差し込み方向となる開閉体の取り付け側からその対向側となる開放端側の前後方向に長く形成されている。
【０００４】
しかし、従来の釣り用魚入れ容器の魚投入口から魚を投入する時に、前後方向に長く形成された魚投入口の形状に合わせて釣れた魚をその前後方向に向けて差し入れようとすると魚の握り具合が不自然になり十分に力を入れて握ることができず素早く魚が収納できなかったり、過って魚に逃げられてしまったりすることがあった。
【特許文献１】実開昭６３−１２７３５５号公報
【発明の開示】
【発明が解決しようとする課題】
【０００５】
解決しようとする課題は、従来の釣り用魚入れ容器は前後方向に長く形成された魚投入口の形状に合わせて釣れた魚をその前後方向に向けて差し入れようとすると魚の握りが不十分になってしまい魚の差し入れが難しく素早く魚が収納できなかったり、過って魚に逃げられてしまったりすることことである。
【０００６】
本発明の目的は前記欠点に鑑み、魚の差し入れが容易で、過って魚に逃げられることを防止した魚投入口を有する釣り用魚入れ容器を提供することである。
【課題を解決するための手段】
【０００７】
上記課題を解決するために、
請求項１に係わる本発明は、魚投入口と該魚投入口を開閉自在に閉塞する開閉体を備え、前記開閉体は一端側が回動自在に支持され前記魚投入口の閉塞方向に付勢されている魚入れ容器において、前記魚投入口は魚を投入する縦方向の長さより横方向の長さを大きく形成したことを要旨とするものである。
請求項２に係わる本発明は、魚投入口は魚取り出し口の蓋体に設けられ、前記蓋体縦方向の長さより横方向の長さを小さく形成したことを要旨とするものである。
【発明の効果】
【０００８】
本発明によると、釣り用魚入れ容器の魚投入口に魚の投入が容易になり、過って魚に逃げられることを防止することができる。
【発明を実施するための最良の形態】
【０００９】
以下、本発明の実施形態を図面に基づき説明すると、図１から図４は本発明の実施例で、図１は釣り用魚入れ容器の全体図、図２は釣り用魚入れ容器の魚投入口部分の断面図、図３は釣り用魚入れ容器の魚投入口部分の正面図、図４は釣り用魚入れ容器の魚投入口に魚を差し込む正面図である。
【００１０】
本願を図１から図４のように、釣り用魚入れ容器として鮎釣り等に用いる釣り用引き舟で説明すると、釣り用引き舟（釣り用魚入れ容器）１は、内部に魚を収容できる空間（収容部）Ｅを有する容器２とこの容器２を持ち運ぶためのハンドル部１１と釣り用引き舟１を流れに引き流したときに流失を防止して牽引する牽引ロープ１２を有している。
牽引ロープ１２はハンドル部１１で一対の支持ロープ１２ａ、１２ｂに分かれてそれぞれ釣り用引き舟１の前方側に連結されている。
【００１１】
釣り人は、流れの中に立ち込んだ時、身につけたベルト等に牽引ロープ１２の一端側を係止して自分の下流側に牽引ロープ１２で容器２を引き流しながら水に浮かべて釣りを行うことができる。
【００１２】
容器２は前方側が尖った船形の容器で浮力体Ｆを内蔵し内部の空間Ｅに水を入れた状態で水に浮くように形成されている。
また、容器２の上面２ａには蓋体４で開閉自在に閉塞される魚取り出し口３と開閉体７で開閉自在に閉塞される魚投入口６が設けられている。
容器２の下面２ｂ側には内部の空間Ｅに水を取り入れる通水孔２ｄが形成されている。
【００１３】
魚取り出し口３は、容器２の上面２ａの前方側に開口し、その前後方向の長さＤが左右方向の長さＣよりも大きく、後端３ｂ側から前端３ａ側に向けて徐々に幅が狭くなる略台形形状に形成され、上面２ａの魚取り出し口３の開口後端３ｂ側に蝶番５、５で回動可能に取り付けられた蓋体４で開閉自在に閉塞されるようになっている。
したがって、蓋体４も同様に魚取り出し口３の形状に合致してその前後方向の長さＤが左右の長さＣよりも大きく、後端４ｂ側から前端４ａ側に向けて徐々に幅が狭くなる略台形形状に形成され
【００１４】
蓋体４の前端４ａには係止具１０が設けられ、その操作部１０ａを支軸１０ｂを中心に回動操作し爪１０ｃを容器２の前方内側に設けた凹部２ｃに対し係脱することで蓋体４の閉塞状態の維持および開放ができるようになっている。
なお、蓋体４は蝶番５を回動して上方に開くことができ、魚取り出し口３をその前方側から開放することができる。
【００１５】
さらに、蓋体４の中央側には魚投入口６が形成され、蓋体４の内側側の魚投入口６の前方に魚投入口６を開閉可能に閉塞する一対の板状の開閉体７、７の前端７ａが軸８、８にて回動可能に取り付けられている。
また、魚投入口６は、その左右の長さＡが前後方向の長さＢよりも大きく、前後方向の中央よりも後端６ｂ側に最大幅を有し、後端６ｂ側から前端６ａ側に向けて徐々に幅が狭くなる略台形形状に形成されている。
【００１６】
なお、魚投入口６、開閉体７等の前後方向は、釣り用引き舟（釣り用魚入れ容器）１の前後方向に従い、左右方向は、その交差方向で釣り用引き舟（釣り用魚入れ容器）１を図３のように容器２を立ち上げて上面２ａを正面に向けた時の左右とする。
また、おとり缶やびくのように釣り用魚入れ容器１に前後方向がない場合の魚投入口６、開閉体７の前後方向は、魚投入口６に魚を差し込む方向に従い、開閉体７を回動支持した支持部７ｅ側を前側、開閉体７の開放端（後端）７ｂ側を後側とする。
【００１７】
開閉体７は前端７ａの支持部７ｅに軸８が挿通されていると共に軸８に取り付けたコイル状のばねの付勢部材９によって魚投入口６を蓋体４の内側側から閉塞するように付勢している。
魚投入口６には一対の板状の開閉体７、７が設けられ、開閉体７、７は蓋体４の内側側の魚投入口６の前方に共に軸８、８で開閉可能に支持され、魚投入口６の左右に並設されて魚投入口６の左右それぞれを内側から覆ってその周縁が蓋体４の魚投入口６の周縁部に当接して魚投入口６を閉塞している。
【００１８】
したがって、蓋体４の内側側の魚投入口６の前方に前端７ａの支持部７ｅにて回動可能に支持された開閉体７は後端７ｂが開放端部となり、開閉体７を付勢部材９の付勢力に抗して容器２の内側側に押圧し回動させると開閉体７の後端７ｂが魚投入口６の周縁部から離れて開閉体７が後端７ｂ側に下るように傾斜し魚投入口６の後端６ｂ側が開口されるようになっている。
【００１９】
開閉体７は、その前端７ａ側に魚投入口６の前方側にて上方に突出する凸部７ｃを有し、魚を握ったまま手の甲部で凸部７ｃを押圧すると開閉体７を容易に開くことができる。
また、開閉体７は、容器２内に通じる通水孔７ｄが形成され、開閉体７に当たる水が通水孔７ｄを通じて容器２内に流入することで開閉体７に当たる水の押圧力を弱めて不用意に開かないようになっている。
【００２０】
このように形成した釣り用引き舟（釣り用魚入れ容器）１を使用する時は、流れの中に立ち込んで身につけたベルト等に牽引ロープ１２の一端側を係止して自分の下流側に牽引ロープ１２で容器２を引き流しながら水に浮かべて釣りを行う。
【００２１】
釣れた魚を容器２に収納するときは図４のように牽引ロープ１２を引いて容器２を水の流れに逆らって手元に引き寄せ、一方の手で牽引ロープ１２を保持したまま他方の手に魚Ｓを握って開閉体７を押し開けながら魚投入口６に魚Ｓをその頭から差し入れるようになっている。
【００２２】
魚が暴れないように手の平を下側（甲が上側）にして魚Ｓを握った手Ｈを容器２の魚投入口６の上に容器２の前方側から伸ばしてその上方に被せるように当てがう。
魚Ｓを握った手Ｈを自然に容器２に差し出すと握り拳が容器２の後方側（魚投入口６の後端６ｂ側）を向いて、魚Ｓを握ったときに並んだ指が作る手の筒状の拳部分は前後方向よりも左右に大きく広がり、魚Ｓは魚投入口６を横切る方向（魚投入口右側６ｃ、魚投入口左側６ｄ方向）を向いて魚Ｓを握った手Ｈの拳部分と魚Ｓが左右方向に広がって配されることとなる。
【００２３】
この時、魚投入口６は、その左右の長さＡが前後方向の長さＢよりも大きく、前後方向の中央よりも後端側に最大幅を有しているため、魚Ｓを握った手Ｈの拳部分と魚Ｓで作られる形状が魚投入口６の形状に合致し、魚投入口６上に自然な状態で配した魚Ｓを握持した手でそのまま開閉体７を下方に向けて押し開けて魚投入口６内に容易に魚Ｓを差し入れることができる。
【００２４】
したがって、魚Ｓを握った手Ｈを自然に容器２に差し出しても魚Ｓを握った手Ｈの拳部分と魚Ｓが魚投入口の周縁部に引っ掛かって入れにくくなることが防止され、魚Ｓを握った手Ｈを不自然に捻って魚Ｓを魚投入口の方向に向けて不安定な握持状態で魚を投入しなくても安定状態で魚Ｓを確実に握持して安全に収納できるようになる。
【００２５】
なお、魚取り出し口３は、魚取り出し口３を開いて容器２ごと逆さにして魚を取り出すため左右方向長さ（横幅）より前後方向に長く形成し、この結果、魚取り出し口３に形状が合致する蓋体４も左右方向長さ（横幅）より前後方向に長くなる。
また、魚投入口６は魚を入れる魚Ｓを握った手Ｈと魚Ｓの形状に合わせて前後方向長さより左右方向長さ（横幅）を長くするのが好ましく、魚の出し入れ両方が効率よく行えるようになる。
【００２６】
なお、本願は、釣り用魚入れ容器として鮎釣り等に用いる釣り用引き舟で説明したが、同様におとり缶やびくなど魚投入口を有する容器であれば使用することができる。
【産業上の利用可能性】
【００２７】
本発明は、釣り用魚入れ容器全般に利用できる。
【図面の簡単な説明】
【００２８】
【図１】図１は、釣り用魚入れ容器の全体図である。
【図２】図２は、釣り用魚入れ容器の魚投入口部分の断面図である。
【図３】図３は、釣り用魚入れ容器の魚投入口部分の正面図である。
【図４】図４は、釣り用魚入れ容器の魚投入口に魚を差し込む正面図である。
【符号の説明】
【００２９】
１    釣り用魚入れ容器
２    容器
３    魚取り出し口
４    蓋体
６    魚投入口
７    開閉体
【図１】
2009082074.tif 000003
【図２】
2009082074.tif 000004
【図３】
2009082074.tif 000005
【図４】
2009082074.tif 000006